(57)【要約】【課題】  表示手段への表示内容の切り替え及び復帰を容易に行えることができるポンプ装置を提供することにある。【解決手段】  ポンプ装置の起動・停止や運転モード等の設定を行うための入力ボタンと、ポンプの羽根車を回転させるモータを制御する制御手段と、この制御手段からの情報を表示する表示手段とを備え、モータ運転時には圧力検知手段で検知された圧力値を表示し、入力ボタンが所定時間押し続けられた時には回転数検知手段で検知された回転数もしくは電流検知手段で検知された電流値を表示し、押し続けられていた入力ボタンが離されると圧力検知手段で検知された圧力値を表示するようにした。【選択図】図５
2010024930.tif 000002
【特許請求の範囲】
【請求項１】
ポンプ装置本体と、該ポンプ装置本体に設けられたケーシングと、該ケーシング内に設けられた羽根車を回転させるモータと、前記羽根車の回転により前記ポンプ装置本体内に水を取り込む吸込口と、前記ポンプ装置本体内に取り込んだ水を吐き出す吐出口と、前記モータの回転数を検知する回転数検知手段と、前記モータに流れる電流を検知する電流検知手段と、吐出側の圧力を検知する圧力検知手段と、ポンプ装置の起動・停止や運転モード等の設定を行うための複数の入力ボタンを備えた操作手段と、前記回転数検知手段と前記電流検知手段と前記圧力検知手段からの情報及び前記操作手段から入手された情報に基づいて前記モータを制御する制御手段と、該制御手段からの情報を表示する表示手段とを備えたポンプ装置において、
前記表示手段は、
前記モータ運転時には前記圧力検知手段で検知された圧力値を表示し、
前記複数の入力ボタンのうち何れかの入力ボタンが所定時間押し続けられた時には前記回転数検知手段で検知された回転数もしくは前記電流検知手段で検知された電流値を表示し、押し続けられていた前記入力ボタンが離されると前記圧力検知手段で検知された圧力値を表示するようにしたポンプ装置。
【発明の詳細な説明】
【技術分野】
【０００１】
本発明は、ポンプ装置に関するものである。
【背景技術】
【０００２】
従来の技術は、例えば特許文献１（特開２００５−１５５３４４号公報）に開示されている。特許文献１には、ポンプ始動圧力値を設定できる状態に切り替える始動圧力ボタンと、始動圧力ボタン９５によってポンプ始動圧力値を設定できる状態に切り替えた状態でポンプ始動圧力値を入力する２つの上下キーとを設けることが記載されている。そして、特許文献１では、２つの上下キーは、ポンプ始動圧力値を入力する際以外は、表示部に表示されるポンプの運転状態の測定値を切り替える表示切替用の入力ボタンとして兼用するようにしている。
【０００３】
【特許文献１】特開２００５−１５５３４４号公報
【発明の開示】
【発明が解決しようとする課題】
【０００４】
一般に、ポンプ装置のモータの回転数を知るためには、回転計を用いたリ、モータの回転子の位置を知るためのセンサであるホールＩＣの出力信号をオシロスコープ等の測定器を用いて算出する必要がある。また、電流値を知るには、電流計，電流プローブ等の測定器が同様に必要である。小型かつ安価な家庭用の井戸水汲み上げに使用されるポンプ装置においては、点検行う場合、ポンプ装置の状態を知るには先に述べた測定器を用いる必要がある。
【０００５】
家庭用井戸ポンプでは、一般の使用者は通常、圧力の情報だけがわかれば良く、モータの回転数や電流値といった他の情報を必要とするのは、ポンプ装置の設置や点検を行う業者だけである。
【０００６】
上記特許文献１に開示された技術においては、点検作業するにあたり上下キーを押すことで表示内容を変更することが可能であるが、切り替わった表示内容はそのまま状態となるので、点検作業が終了した時点で上下キーを押して圧力情報表示に戻す必要がある。このため、操作性が煩わしく、また点検作業終了後に業者が表示内容の切り替えを忘れると、使用者が得たい圧力情報を得ることができなくなるといった課題があった。
【０００７】
本発明の目的は上記課題を解決し、表示手段への表示内容の切り替え及び復帰を容易に行えることができるポンプ装置を提供することにある。
【課題を解決するための手段】
【０００８】
上記目的を達成するために本発明の特徴とするところは、ポンプ装置本体と、該ポンプ装置本体に設けられたケーシングと、該ケーシング内に設けられた羽根車を回転させるモータと、前記羽根車の回転により前記ポンプ装置本体内に水を取り込む吸込口と、前記ポンプ装置本体内に取り込んだ水を吐き出す吐出口と、前記モータの回転数を検知する回転数検知手段と、前記モータに流れる電流を検知する電流検知手段と、吐出側の圧力を検知する圧力検知手段と、ポンプ装置の起動・停止や運転モード等の設定を行うための複数の入力ボタンを備えた操作手段と、前記回転数検知手段と前記電流検知手段と前記圧力検知手段からの情報及び前記操作手段から入手された情報に基づいて前記モータを制御する制御手段と、該制御手段からの情報を表示する表示手段とを備えたポンプ装置において、前記表示手段は、前記モータ運転時には前記圧力検知手段で検知された圧力値を表示し、前記複数の入力ボタンのうち何れかの入力ボタンが所定時間押し続けられた時には前記回転数検知手段で検知された回転数もしくは前記電流検知手段で検知された電流値を表示し、押し続けられていた前記入力ボタンが離されると前記圧力検知手段で検知された圧力値を表示するようにしたことにある。
【発明の効果】
【０００９】
本発明によれば、モータ運転時には圧力検知手段で検知された圧力値を表示し、入力ボタンが所定時間押し続けられた時には回転数検知手段で検知された回転数もしくは電流検知手段で検知された電流値を表示し、押し続けられていた入力ボタンが離されると圧力検知手段で検知された圧力値を表示するようにしたので、表示手段への表示内容の切り替え及び復帰を容易に行えることができるポンプ装置を提供することができる。
【発明を実施するための最良の形態】
【００１０】
以下、本発明に係る一実施例を説明する。
【００１１】
図１は本発明の一実施例であるポンプ装置の構成概要を示す。
【００１２】
ポンプ装置本体は、制御用コントローラ３，操作コントローラ４（操作手段），羽根車（図示せず）を回転させるモータ１０，羽根車及びモータ１０を覆うケーシング１１，揚水された水を取り込む吸込口１，吸込口１から揚水された水の逆流を防ぐ逆止弁１２，取り込んだ水を吐き出す吐出口２，吐き出し側の水圧を検知する圧力センサ６，使用水量の急変による圧力変化を緩和する圧力タンク５，ポンプ装置への給電を行う電源コード８，ポンプ装置を覆うポンプカバー９、を主たる構成部品としている。
【００１３】
図２は本発明の一実施例に係るポンプ装置の操作コントローラ４を示す。操作コントローラ４は本実施例の表示手段であるＬＥＤ、操作手段であるボタンから構成され一体化している。７セグメントＬＥＤ２１は、発光素子であるＬＥＤの一種で、記号，数字，アルファベット等を３桁まで表示することが可能である。運転／停止ボタン１４は、ポンプ装置の運転開始及び停止を行う。運転モードボタン１５は、運転モードの選択を行う。また、選択された運転モード毎に圧力一定モードＬＥＤ１７または標準モードＬＥＤ１８が点灯する。圧力設定ボタン１６は、運転圧力の選択を行う。また、選択された圧力設定毎に圧力設定高いＬＥＤ１９または圧力設定標準ＬＥＤ２０が点灯する。リセットボタン１３は、ポンプ装置の異常停止状態からの復帰を行う。
【００１４】
図３は、本発明の一実施例に係るポンプ装置の制御ブロック図を示す。３５は制御用コントローラ３を構成する制御部（制御手段）である。サーミスタ３０は温度センサ（温度検知手段）であり、ポンプ装置の温度を検出し、検出結果は電気信号として制御部３５へ入力され、制御部３５は低温，高温等の温度異常の判定を行い、必要に応じて表示手段へ警告表示させたり、自動的にモータ１０を停止あるいは駆動させたりする。
【００１５】
圧力センサ６（圧力検知手段）は吐出側の水圧を検出する手段であり、検出結果は電気信号として制御部３５へ入力され、制御部３５は、圧力変化に応じて自動的に駆動回路３７を介しモータ１０の回転数を変化させ、吐出圧力が所定の圧力となるよう制御する。また、検出した圧力値は表示手段で表示される。
【００１６】
電流センサ３２（電流検知手段）はモータ１０に流れる電流を検知し、検出結果は電気信号として制御部３５へ入力され、制御部３５は電流値を監視し、所定の電流値以上となるとモータ１０を保護するため、モータ１０の回転数を抑える。
【００１７】
次にホールＩＣ３３（回転数検知手段）はモータ１０の回転子の位置検出に用いられ、制御部３５が単位時間当たりの出力信号のエッジをカウントすることにより、速度即ち回転数が得られる。
【００１８】
制御部３５は圧力センサ６と電流センサ３２とホールＩＣ３３及び操作コントローラ４から入手された情報に基づいてモータ１０の回転数が最適となるように制御する。
【００１９】
次に操作コントローラ４は、図２の説明でも述べたが、表示手段であるＬＥＤと操作手段であるボタンが一体化した形態となっており、制御部３５からの信号に応じて、表示手段へポンプ装置の状態を表示する。また、操作手段であるボタンを押すことにより制御部３５へ入力される信号レベルが変化し、制御部３５はボタンの状態を検知する。
【００２０】
制御部３５は、ＣＰＵ，ＲＯＭ，ＲＡＭ，Ａ／Ｄ変換器等を内蔵するワンチップマイクロコンピュータ３６，モータ１０を駆動する駆動回路３７，モータ１０に流れる電流を検出する電流センサ３２、及び周辺回路から構成される。ポンプ装置の制御内容はプログラムデータとして、ワンチップマイクロコンピュータ３６のＲＯＭへ格納されている。
【００２１】
次に本発明の一実施例に係る制御動作を図４及び図５を用いて説明する。図４は、ポンプ装置の制御部３５が行うボタン検知処理の流れ図である。図５は押されたボタンに従い機能を実行する機能実行処理の流れ図である。
【００２２】
まず、図４のボタン入力検知処理は、ワンチップマイクロコンピュータ３６の電源が立ち上がり、起動するとともに、一定周期で常時実行される。操作ボタンを押すことにより変化するボタン回路からの信号レベルを検出し、押されたボタンの特定並びにボタンが離されたかあるいは押し続けられているかを判断する。検知されたボタンは、ボタン毎に固有のコードが設定され、ＲＡＭへ格納される。また、ボタンが押し続けられているか否かの情報も、ボタン押し続けフラグとしてＲＡＭへ格納される。
【００２３】
以下、図４に示すボタン入力検知処理の流れ図を、記号順に説明する。
（ａ）ボタン入力の有無を、ワンチップマイクロコンピュータ３６へ入力される信号レベ      ルを参照することにより判定する。
ボタン入力が無ければ、（ｆ）へ。
（ｂ）押されたボタンの数が単独か複数か判定する。
単独であれば（ｃ）へ、複数であれば（ｇ）へ。
（ｃ）計４つあるボタン毎に対応したデータをＲＡＭへセットし、（ｄ）へ。
（ｄ）前回検出時と今回検出時のボタンコードを比較し、同じであれば（ｅ）へ。
違っていれば（ｈ）へ。
（ｅ）ボタンが押され続けている状態を示すフラグをセットし、（ｉ）へ。
（ｆ）ボタンコード用ＲＡＭをクリアし、（ｈ）へ。
（ｇ）複数のボタンの組み合わせ毎に対応したデータをＲＡＭへセットし、（ｄ）へ。
（ｈ）ボタン押し続けフラグクリアし、（ｉ）へ。
（ｉ）前回検知したボタンコードを今回検知したボタンコードに更新し、終了。
【００２４】
次に、図５はボタン検知処理にて検知されたボタンコードの内容に応じて、実行する機能を振り分ける機能実行処理の流れ図を示す。機能実行処理もボタン検知処理同様に周期的に実行されるが、実行周期はボタン検出処理よりも長い。本実施例では運転中の運転モードボタン１５の５秒連続押しで圧力表示と回転数表示を切り替え、圧力設定ボタン１６の５秒連続押しで圧力表示と電流表示を切り替える例を示す。
【００２５】
以下、図５に示す機能実行処理の流れ図を、記号順に説明する。
（ｊ）ボタンコード用ＲＡＭの内容を参照してボタン入力の有無を判定する。
ボタン入力があれば（ｋ）へ、無ければ（ｙ）へ。
（ｋ）押されたボタンがリセットボタン１３であればリセット処理（ｒ）へ。
それ以外ならば（ｌ）へ。
（ｌ）押されたボタンが運転／停止ボタン１４であれば運転停止処理（ｓ）へ。
それ以外ならば（ｍ）へ。
（ｍ）ポンプ装置が停止状態ならば機能設定処理（ｔ）へ。運転状態であれば（ｎ）へ。
（ｎ）押されたボタンが運転モードボタン１５であれば（ｏ）へ。
それ以外ならば（ｕ）へ。
（ｏ）運転モードボタン１５が押し続けられているか否かを判定し、押し続けられていれ      ば（ｐ）へ。押し続けられていなければ（ｙ）へ。
（ｐ）運転モードボタン１５が押し続けられた状態で５秒経過したと判定されると（ｑ）      へ。５秒未満であれば（ｙ）へ。
（ｑ）表示手段の表示を切り替える。圧力値表示中であれば回転数表示に、回転数表示中      であれば圧力値表示にする。
（ｒ）リセット処理を実行し、ポンプ装置はワンチップマイクロコンピュータ３６のＣＰ      Ｕをリセットし、電源投入直後の状態にする。
（ｓ）運転／停止処理を実行する。ポンプ装置が運転状態であれば停止させ、停止状態で      あれば運転開始する。
（ｔ）機能設定処理を実行する。押されたボタンが運転モードボタン１５であれば運転モ      ードの切り替えを実行し、押されたボタンが圧力設定ボタン１６であれば、運転圧      力の切り替えが実行される。
（ｕ）押されたボタンが圧力設定ボタン１６であれば（ｖ）へ。それ以外ならば（ｙ）へ      。
（ｖ）圧力設定ボタン１６が押し続けられているか否かを押し続けフラグを参照すること      により、判定する。押し続けられていれば（ｗ）へ。押し続けられていなければ（      ｙ）へ。
（ｗ）圧力設定ボタン１６が押し続けられた状態で５秒経過したと判定されると（ｘ）へ      。５秒未満であれば（ｙ）へ。
（ｘ）表示手段の表示を電流値表示に切り替える。
（ｙ）表示が電流値表示または回転数表示であれば圧力値表示に切り替える。
圧力値表示以外のときボタンを離すと自動的に元の表示（圧力値表示）に戻ることとなる。
【００２６】
以上の様に、本実施例では運転モードボタン１５はボタンを５秒以上押し続けると圧力値表示中であれば回転数表示に切り替える。同様に圧力設定ボタン１６は、圧力値表示と電流値表示の切り替え用に使用する。また、ボタンを離すと自動的に元の表示（圧力値表示）に戻すことができる。
【００２７】
また、ボタンを押し続けた状態で５秒経過するまで表示切り替えの実行を制限しているため、不用意にボタンを押してしまい、意図しない表示切り替え動作を未然に防ぐ効果がある。また、５秒といった制限時間はシステムに合わせて最適な時間に設定しても良い。
【００２８】
本実施例では、運転モードボタン１５または圧力設定ボタン１６いずれかの単独のボタンを押すことにより、表示切り替え動作を実現させる一例を説明しているが、複数のボタンを押した場合においても、図４に示すボタン入力検知処理において、独立したボタンコードが得られるため、表示切り替えの条件を例えば、運転モードボタン１５と圧力設定ボタン１６が押されているといった条件に変更することは容易に対処可能である。図５におけるステップ（ｎ）またはステップ（ｕ）の判定条件を変更するのみで対処可能である。また、他の実施形態として、表示手段の表示を圧力情報から切り替えて表示するポンプ装置の情報を、サーミスタ３０で検出される温度情報、あるいはワンチップマイクロコンピュータ３６のＲＯＭに内蔵されているプログラムバージョンとすることも実現可能である。
【図面の簡単な説明】
【００２９】
【図１】本発明の一実施例に係るポンプ装置の概略図。
【図２】本発明の一実施例に係る操作コントローラの概略図。
【図３】本発明の一実施例に係る制御ブロック図。
【図４】ボタン入力検知処理の流れ図。
【図５】機能実行処理の流れ図。
【符号の説明】
【００３０】
３  制御用コントローラ
４  操作コントローラ
６  圧力センサ
１０  モータ
１４  運転／停止ボタン
１５  運転モードボタン
１６  圧力設定ボタン
２１  ７セグメントＬＥＤ
３０  サーミスタ
３２  電流センサ
３３  ホールＩＣ
３５  制御部
【図１】
2010024930.tif 000003
【図２】
2010024930.tif 000004
【図３】
2010024930.tif 000005
【図４】
2010024930.tif 000006
【図５】
2010024930.tif 000007